(57)【特許請求の範囲】
【請求項１】
苔植物の仮根同士が絡み合って１枚のシート状のコロニーに形成し、苔が死滅せずに且つ苔が成長できない状態まで乾燥した苔シート体を、非透水性及び非通気性の材質で形成した包装用袋に収納密封してなることを特徴とする包装苔シート。
【請求項２】
適宜な培地で繁殖させた苔植物を、コロニーとして培地から剥ぎ取り分離してシート状とし、前記コロニーシート体を網で挟み、コロニーが分離しないようにして洗浄し、培地、雑草の種及び昆虫の類を除去した後に、苔が死滅せずに且つ苔が成長できない状態まで乾燥させ、前記乾燥した苔シート体をそのままの大きさ又は適宜分割して、所定の包装用袋に収納密封してなることを特徴とする包装苔シートの製造方法。
【請求項３】
苔を所望形状の培養容器で繁殖すると共に、当該シート体を網で挟んで洗浄する際に、当該培養容器形状と対応する枠内に収納して行ってなる請求項２記載の包装苔シートの製造方法。
【発明の詳細な説明】
【技術分野】
【０００１】
本発明は、苔を商品として流通させるための包装苔シート及びその製造方法に関するものである。
【背景技術】
【０００２】
苔を商品として流通させる手段として、従来よりで適宜な培地で苔を繁殖させ、苔の仮根部分を含む培地とともに株群を分離し、そのまま移植できるように紙の仕切りを介在させて段積み圧縮し、段ボール箱包装によって流通させていた（特許文献１図５）。
【０００３】
また特許文献１には、前記の移植法による栽培手段を適用した苔の商品流通化手段では、苔の保存等の問題から流通効率が極めて悪い。また刈り取った苔を細かく刻んでそのまま地面に撒いて行う撒き栽培に対応する苔小片を、適宜な水分を保持させて瓶詰して流通させる手段は、容器内水分によって、腐ったり或いは乾燥しすぎてしまう等の問題があるとし、苔商品の流通性を高める手段として、苔小片と含水性分散材に酸素ガスを加えて容器に詰めて流通させる手段を開示している。
【０００４】
また特許文献２には、繊維密度が粗いシートにおいて、苔を細かく裁断して繊維に絡ませ苔胞子を含有するシートが開示されており、特許文献３には、苔を小片化し水分調整を行い、培養植材と共に耐水紙に挟んで市場流通に適する苔商品が開示されている。
【先行技術文献】
【特許文献】
【０００５】
【特許文献１】特開平８−２９８８６０号公報。
【特許文献２】実開平５−４８６４７号公報。
【特許文献３】特開２０００−８３４６８号公報。
【発明の概要】
【発明が解決しようとする課題】
【０００６】
苔を流通商品化する手段として、前記の特許文献１に開示されている細片化しての容器詰め手段は、酸素封入で長期保存を実現しているもので、一部を使用するため開封すると酸素濃度が低下し、容器内水分によって腐ってしまう虞があると共に、容器詰めのために商品自体が嵩高となり必ずしも流通に適しているとは言えない。
【０００７】
また特許文献２，３に開示されている培地シートに苔細片を組み合わせたものは、苔に対して水分と空気（酸素）が供給されているので、苔は生存状態で通常どおり繁殖するので、適時に商品として流通させずに長期保存してしまうと、時間と共に苔が生育して斑に繁殖した苔シートとなり、商品価値が下がってしまう。
【０００８】
そこで本発明は、一定の品質を保ったままの長期保存が容易であり、コンパクトな容積として流通に適する新規な苔シート及びその製造方法を提案したものである。
【課題を解決するための手段】
【０００９】
本発明の請求項１記載に係る包装苔シートは、苔植物の仮根同士が絡み合って１枚のシート状のコロニーに形成し、苔が死滅せずに且つ苔が成長できない状態まで乾燥した苔シート体を、非透水性及び非通気性の材質で形成した包装用袋に収納密封してなることを特徴とするものである。
【００１０】
また請求項２記載に係る包装苔シートの製造方法は、適宜な培地で繁殖させた苔植物を、コロニーとして培地から剥ぎ取り分離してシート状とし、前記コロニーシート体を網で挟み、コロニーが分離しないようにして洗浄し、培地、雑草の種及び昆虫の類を除去した後乾燥し、適度に乾燥した苔シート体をそのままの大きさ又は適宜分割して、所定の包装用袋に収納密封してなることを特徴とするものである。
【００１１】
しかして前記方法で製出した包装苔シートは、苔をコロニーとして培地から剥ぎ取っているので、苔の仮根同士が絡み合って全体が１枚のシートとなっており、また網で挟んで洗浄しているものであるから、洗浄によって前記の仮根同士の絡み合いが解けることが無いのでシート状態が維持され、その取扱いが容易である。また適度の乾燥によって苔が死滅せず、且つ苔の成長を止めた状態とし、シート状のまま包装袋に収納密封して１年程度期間放置しておいても、袋から取り出して培地上に置いて水分を供給すると、苔は繁殖することになる。
【００１２】
従って適宜に乾燥した状態で包装袋に密閉された包装苔シートは、苔商品として市場に流通させることができるものであり、洗浄によって土壌等の培地やその他の余分物が除去されているので、防疫上の輸出障害も無い。
【００１３】
また請求項３記載に係る包装苔シートの製造方法は、前記の製造方法において特に、苔を所望形状の栽培容器で繁殖すると共に、当該シート体を網で挟んで洗浄する際に、当該栽培容器形状と対応する枠内に収納して行ってなるもので、製出される包装苔シートは、栽培容器形状と対応するので、製品規格化を容易に実現できる。
【発明の効果】
【００１４】
本発明の構成は上記のとおりで、乾燥状態で且つ洗浄されて余分な残余物を備えない包装苔シートは、密封状態で１年以上の保存が可能であり、包装袋内は基本的に苔自体のみで構成されているので、商品として嵩張ることなく、優れた市場流通性を備えるものである。
【図面の簡単な説明】
【００１５】
【図１】本発明の実施形態の製品の一部切断した全体斜視図。
【図２】本発明方法の工程説明図で栽培から洗浄前の工程を示す。
【図３】同工程説明図で洗浄から包装の工程を示す。
【発明を実施するための形態】
【００１６】
次に本発明の実施形態をその製造工程順に説明する。本発明の包装苔シートは、栽培工程、剥離工程、洗浄工程、乾燥工程、包装工程の順で製出される。
【００１７】
栽培工程は、対象苔植物（スギコケ、スナゴケ、ハイゴケ等）の単体、コロニー片、小片、又は裁断片等の撒き苔１を、例えばＡ４サイズやＢ５サイズ等に対応する等の適宜な大きさの一定の規格で、底面に適宜な培地２を敷き詰めた栽培容器３に散布して、水分を供給し、通常どおりの手法で苔を繁殖させる。
【００１８】
剥離工程は、栽培容器３内で十分に繁殖した苔は、コロニー（群体）状態のまま培地２から剥ぎ取り分離する。分離した苔は、仮根同士が絡み合って全体が１枚のコロニーシート体（以下「生苔シート体４」という）で、その大きさは栽培容器３の形状に対応するものである。
【００１９】
洗浄工程は、前記の生苔シート体４を栽培容器３の大きさと同一の枠体５に納めると共に、表裏に網体６を配置して、生苔シート体４を網体６で挟んで洗浄を行う。洗浄は水洗を主とし、生苔シート体４に付着している培地２、及び栽培工程中に苔に飛来付着した雑草の種、及び昆虫の卵や幼虫を除去するもので、特に前記洗浄に際して生苔シート体４を網体６で挟んで行うので、洗浄によって仮根同士の絡み合いが解けることが無く、コロニー状態のまま洗浄を終えることができる。
【００２０】
乾燥工程は、生苔シート体４を自然乾燥や人工乾燥をもって脱水し、苔が死滅せずに且つ苔が成長できない状態まで乾燥する。前記の乾燥においてはシート状態を維持させて乾燥した苔シート体（乾燥苔シート体７）とするものである。
【００２１】
包装工程は、包装袋８に前記で製出した乾燥苔シート体７を収納して密封するもので、包装袋８は、非透水性及び非通気性の材質で形成してなり、その大きさは枠体５の大きさと一致し、或いは等分された大きさである。従って乾燥苔シート体７を、包装袋８の大きさに合わせて、そのまま或いは分割して収納するものである。
【００２２】
而して前記の包装袋に密閉された包装苔シートは、苔商品として市場に流通させることができるものであり、購入者は、包装袋８から乾燥苔シート体７を取り出し、繁殖させたい箇所の培地上にそのまま張り付け、或いは千切って撒き苔とし、適宜な水分を与えることで苔の栽培を行うことができるものである。而も本願の包装苔シートは、土壌菌を含む培地が除去されている乾燥植物で、防疫上の輸出障害も無く、輸出商品としても提供できるものである。
【符号の説明】
【００２３】
１      撒き苔
２      培地
３      栽培容器
４      生苔シート体
５      枠体
６      網体
７      乾燥苔シート体
８      包装袋
【図１】
0006027522.tif 000002
【図２】
0006027522.tif 000003
【図３】
0006027522.tif 000004